(57)【要約】　【課題】　記録媒体内のフォルダ番号を変換してユーザーとのインターフェースに使用することができるオーディオ装置を提供すること。　【解決手段】　制御部１１の番号付与部１１２は、読取部１２により挿入されたＣＤ３０内に記録されている情報を読み取り、ＣＤ３０に圧縮された音楽データが記録されていてルートディレクトリ配下にフォルダが有る場合は、ＣＤ３０に記録されているフォルダ番号から１を引いた値をそのフォルダの番号として表示部１３に表示するとともに、ユーザーが再生するフォルダ番号を指示するためなどに入力したフォルダ番号に１を加算した値をＣＤ３０に記録されているフォルダ番号であると認識して処理を行う。【選択図】　図１
2004046877.tif 000002
【特許請求の範囲】
【請求項１】
記録媒体に記録された音楽データを再生する再生手段と、前記記録媒体のルートディレクトリから前記ルートディレクトリ配下に作成されたフォルダへ順番にフォルダ番号を付与する番号付与手段とを備え、前記番号付与手段が、前記フォルダ番号から１を引いた値をユーザーとのインターフェースに使用することを特徴とするオーディオ装置。
【請求項２】
前記ルートディレクトリ配下にフォルダが作成されているかを判定する判定手段を備え、前記フォルダが作成されていると判定したとき、前記番号付与手段がフォルダ番号から１を引いた値をユーザーとのインターフェースに使用することを特徴とする請求項１に記載のオーディオ装置。
【請求項３】
記録媒体に記録された音楽データを再生する再生手段と、前記記録媒体のルートディレクトリから前記ルートディレクトリ配下に作成されたフォルダに番号を付与する番号付与手段とを備え、前記番号付与手段は、前記音楽データが記録されているルートディレクトリを含むフォルダにのみ番号を付与し、付与された番号をユーザーとのインターフェースに使用することを特徴とするオーディオ装置。
【請求項４】
前記番号付与手段は、前記音楽データが記録されているルートディレクトリを含むフォルダに番号を付与するとき、前記記録媒体に記録されているフォルダ順に番号を付与することを特徴とする請求項３に記載のオーディオ装置。
【請求項５】
前記番号付与手段は、前記音楽データが記録されているルートディレクトリを含むフォルダに番号を付与するとき、ルートディレクトリからフォルダの階層順に番号を付与することを特徴とする請求項３に記載のオーディオ装置。
【請求項６】
前記番号付与手段は、前記音楽データが記録されているルートディレクトリを含むフォルダに番号を付与するとき、前記記録媒体に記録されているフォルダ名のソート順に番号を付与することを特徴とする請求項３に記載のオーディオ装置。
【請求項７】
前記番号付与手段は、前記音楽データが記録されているルートディレクトリを含むフォルダに番号を付与するとき、前記記録媒体に記録されているフォルダ名が数字である場合、フォルダ名の数字の値を番号として付与することを特徴とする請求項３に記載のオーディオ装置。
【請求項８】
前記記録媒体は、ＣＤ−ＲまたはＣＤ−ＲＷであることを特徴とする請求項１から請求項７のいずれかに記載のオーディオ装置。
【発明の詳細な説明】
【技術分野】
【０００１】
　本発明は、圧縮された音声データを再生する機能を持つオーディオ装置に関するものである。
【背景技術】
【０００２】
　従来、この種のオーディオ装置は、圧縮された音楽データをデコードして再生する機能を持ち、ユーザーがパソコンなどでＣＤ−Ｒ（Compact Disc-Recordable）のような記録媒体に記録した圧縮された音楽データを再生可能とするものだった（例えば特許文献１参照）。
【０００３】
　ここで、ＣＤ−Ｒには、ＣＤ−Ｒ内のフォルダの情報としてフォルダを識別する番号が記録されていて、この番号がＣＤ−Ｒのルートディレクトリを１とし、それ以外のフォルダには２から順番に番号付けをして管理されている。
【０００４】
【特許文献１】特開２００１−２６６４７０号公報
【発明の開示】
【発明が解決しようとする課題】
【０００５】
　従来のオーディオ装置では、このようなＣＤ−Ｒ内のフォルダの番号情報を、そのまま再生中のフォルダの情報として表示したり、再生希望のフォルダを指示させるとき（ユーザーとのインターフェース）に使っている。
【０００６】
　しかし、ユーザーは、ルートディレクトリに音楽データを記録しないで作成したフォルダに音楽データを記録する場合や、作成したフォルダの全てに音楽データを記録しない場合があり、音楽データを記録していないフォルダ（ルートディレクトリ）を意識していない場合が多く、音楽データを記録したフォルダのみを意識していて、その順番に番号付けされていると認識していると、ユーザーの認識しているフォルダの順番とオーディオ装置で表示または再生するフォルダの順番とに不一致が生じ、ユーザーが混乱してしまうという問題があった。
【０００７】
　本発明はこのような問題を解決するためになされたもので、記録媒体内のフォルダ番号を変換してユーザーとのインターフェースに使用することができるオーディオ装置を提供するものである。
【課題を解決するための手段】
【０００８】
　本発明のオーディオ装置は、記録媒体に記録された音楽データを再生する再生手段と、前記記録媒体のルートディレクトリから前記ルートディレクトリ配下に作成されたフォルダへ順番にフォルダ番号を付与する番号付与手段とを備え、前記番号付与手段が、前記フォルダ番号から１を引いた値をユーザーとのインターフェースに使用する構成を有している。
【０００９】
　この構成により、記録媒体にフォルダが作成されていてフォルダ番号が付与されていると、このフォルダ番号から１を引いた値がユーザーとのインターフェースに使用されることとなる。
【００１０】
　ここで、前記ルートディレクトリ配下にフォルダが作成されているかを判定する判定手段を備え、前記フォルダが作成されていると判定したとき、前記番号付与手段がフォルダ番号から１を引いた値をユーザーとのインターフェースに使用する構成とした。
【００１１】
　この構成により、ルートディレクトリ配下にフォルダが作成されているときは、フォルダ番号から１を引いた値がユーザーとのインターフェースに使用されることとなる。
【００１２】
　本発明のオーディオ装置は、記録媒体に記録された音楽データを再生する再生手段と、前記記録媒体のルートディレクトリから前記ルートディレクトリ配下に作成されたフォルダに番号を付与する番号付与手段とを備え、前記番号付与手段は、前記音楽データが記録されているルートディレクトリを含むフォルダにのみ番号を付与し、付与された番号をユーザーとのインターフェースに使用する構成を有している。
【００１３】
　この構成により、音楽データが記録されたフォルダのみに番号が付与され、この番号によりユーザーにフォルダを識別させることとなり、ユーザーに音楽データが記録されていないフォルダを意識させないようにすることができる。
【００１４】
　ここで、前記番号付与手段は、前記音楽データが記録されているルートディレクトリを含むフォルダに番号を付与するとき、前記記録媒体に記録されているフォルダ順に番号を付与する構成とした。
【００１５】
　この構成により、音楽データが記録されているフォルダが、記録媒体に記録されているフォルダ順に番号付けされることとなり、ユーザーに分かりやすい番号付けができる。
【００１６】
　また、前記番号付与手段は、前記音楽データが記録されているルートディレクトリを含むフォルダに番号を付与するとき、ルートディレクトリからフォルダの階層順に番号を付与する構成とした。
【００１７】
　この構成により、音楽データが記録されているフォルダが、ルートディレクトリからフォルダの階層順に番号付けされることとなり、ユーザーに分かりやすい番号付けができる。
【００１８】
　さらに、前記番号付与手段は、前記音楽データが記録されているルートディレクトリを含むフォルダに番号を付与するとき、前記記録媒体に記録されているフォルダ名のソート順に番号を付与する構成とした。
【００１９】
　この構成により、音楽データが記録されているフォルダが、記録媒体に記録されているフォルダ名のソート順に番号付けされることとなり、ユーザーに分かりやすい番号付けができる。
【００２０】
　さらに、前記番号付与手段は、前記音楽データが記録されているルートディレクトリを含むフォルダに番号を付与するとき、前記記録媒体に記録されているフォルダ名が数字である場合、フォルダ名の数字の値を番号として付与する構成とした。
【００２１】
　この構成により、記録媒体に記録されているフォルダ名が数字である場合、音楽データが記録されているフォルダが、記録媒体に記録されているフォルダ名の数字の値を番号として番号付けされることとなり、ユーザーの設定したフォルダ名を番号に反映することができる。
【００２２】
　さらに、前記記録媒体は、ＣＤ−ＲやＣＤ−ＲＷであることは好ましい。この構成により、ＣＤ−ＲやＣＤ−ＲＷに記録されているフォルダに番号が付与されてユーザーとのインターフェースに使用されることとなる。
【発明の効果】
【００２３】
　本発明によれば、記録媒体のルートディレクトリ配下にフォルダが作成されているとき、フォルダ番号から１を引いた値をユーザーとのインターフェースに使用することにより、ユーザーの混乱を避けることができる。
【発明を実施するための最良の形態】
【００２４】
　以下、本発明の実施の形態について、図面を参照して説明する。
　図１及び図２は本発明の第１の実施の形態のオーディオ装置の構成及び処理手順を示す図である。
【００２５】
　図１に示すように、本実施の形態のオーディオ装置は、装置各部を制御する制御部１１と、ＣＤ３０に記録された情報を読み取る読取部１２と、装置の状態や再生中の音楽の情報等を表示する表示部１３とを備えている。
【００２６】
　制御部１１は、パソコンなどで圧縮された音楽データ（例えば、ＭＰ３（MPEG-1 Audio Layer 3）形式やＷＭＡ形式のデータ）をデコードして再生する再生部１１１と、ＣＤ３０に記録された情報からユーザーとのインターフェースに使用するフォルダの番号を付与する番号付与部１１２とを備えている。
【００２７】
　このようなオーディオ装置において、圧縮された音楽データを記録したＣＤ−ＲやＣＤ−ＲＷ（Compact Disc-ReWritable）のルートディレクトリ下にフォルダが作成されている場合、それらの記録可能なＣＤに記録されているフォルダの識別番号から１引いた値をフォルダの情報として表示部１３に表示したり、ユーザーが指示するフォルダの番号も１引いた値であると認識して処理する（ユーザーとのインターフェースに１引いたフォルダ番号を使用する）ようになっている。
【００２８】
　具体的には、図２のフローチャートに示すように、図示しないＣＤ（CompactDisc）デッキにＣＤ３０が挿入されると、制御部１１の番号付与部１１２は、読取部１２により挿入されたＣＤ３０内に記録されている情報を読み取り、ＣＤ３０に圧縮された音楽データが記録されているかを判定し（Ｓ１１）、圧縮された音楽データが記録されていないと挿入されたＣＤ３０を通常の音楽ＣＤであると判断し、音楽ＣＤ用の表示を表示部１３に表示する（Ｓ１８）。
【００２９】
　挿入されたＣＤ３０に圧縮された音楽データが記録されていると、そのＣＤ３０はＣＤ−ＲやＣＤ−ＲＷなどであると判断し、次いで、ルートディレクトリ配下にフォルダが作成されているかを判定する（Ｓ１２）。
【００３０】
　ルートディレクトリ配下にフォルダが有る場合は、番号を変更するかどうかを設定する番号変更フラグをオンにし（Ｓ１３）、ルートディレクトリ配下にフォルダが無い場合は、番号を変更するかどうかを設定する番号変更フラグをオフにする（Ｓ１４）。
【００３１】
　次いで、番号変更フラグを判定し（Ｓ１５）、番号変更フラグがオンであれば、ＣＤ３０に記録されているフォルダ番号から１を引いた値をそのフォルダの番号として表示部１３に表示する（Ｓ１６）。
【００３２】
　番号変更フラグがオフであれば、ＣＤ３０に記録されているフォルダ番号をそのままそのフォルダの番号として表示部１３に表示する（Ｓ１７）。
【００３３】
　また、ユーザーが、再生するフォルダ番号を指示するためなどにフォルダ番号を入力したときは、制御部１１の番号付与部１１２は、番号変更フラグを判定し、番号変更フラグがオンであれば、入力されたフォルダ番号に１を加算した値をＣＤ３０に記録されているフォルダ番号であると認識し処理を行う。
【００３４】
　また、番号変更フラグがオフであれば、入力されたフォルダ番号をそのままＣＤ３０に記録されているフォルダ番号であると認識し処理を行う。
【００３５】
　以上のように本実施の形態においては、ルートディレクトリ配下にフォルダが有るかを判定し、フォルダがある場合は、ＣＤ３０に記録されているフォルダ番号から１を引いた値をユーザーとのインターフェースでのフォルダ番号として処理をするので、ＣＤ３０に記録されているフォルダ番号を変換することができ、ユーザーの混乱を避けることができる。
【００３６】
　また、例えば、カーオーディオなどの表示部１３の表示領域が小さく、設定されているファイル名やフォルダ名を表示できず、ファイル名に替えてフォルダ番号で表示する場合に有効である。
【００３７】
　次に、図３は、本発明の第２の実施の形態のオーディオ装置のブロック図である。なお、本実施の形態は、上述第１の実施の形態と略同様に構成されているので、同様な構成には同一の符号を付して特徴部分のみ説明する。
【００３８】
　本実施の形態の番号付与部２１１は、圧縮された音楽データを記録したＣＤ−ＲやＣＤ−ＲＷのルートディレクトリを含む各フォルダのうち、音楽データが格納されているフォルダ（ルートディレクトリを含む）のみを対象にフォルダに番号を付与し、付与した番号をフォルダの情報として表示部１３に表示したり、ユーザーが指示するフォルダの番号も付与した番号として認識して処理する（ユーザーとのインターフェースに付与した番号を使用する）ことを特徴としている。
【００３９】
　例えば、ＣＤ３０に記録されているフォルダの構成が図４（ａ）に示すような構成の場合、ＣＤ３０には、フォルダ属性情報としてフォルダ毎にフォルダ順やフォルダ階層情報やフォルダ名やフォルダ部分の記憶領域情報などが、例えば図４（ｂ）に示すように記録されている。
【００４０】
　このような情報が記憶されているＣＤ３０が図示しないＣＤデッキに挿入されると、制御部２１の番号付与部２１１は、図５のフローチャートに示すように、読取部１２により挿入されたＣＤ３０内に記録されている情報を読み取り、ＣＤ３０に圧縮された音楽データが記録されているかを判定し（Ｓ１１）、圧縮された音楽データが記録されていないと挿入されたＣＤ３０を通常の音楽ＣＤであると判断し、音楽ＣＤ用の表示を表示部１３に表示する（Ｓ１８）。
【００４１】
　挿入されたＣＤ３０に圧縮された音楽データが記録されていると、番号付与部２１１は、そのＣＤ３０はＣＤ−ＲやＣＤ−ＲＷなどであると判断し、ＣＤ３０からフォルダ属性情報を読み出して、フォルダ順の１から順番に各フォルダに音楽データが記録されているかを判定し（Ｓ２１）、音楽データが記録されていれば、音楽データが記録されているフォルダのみのフォルダ順に従った番号を付与し、当該フォルダの番号として記憶する（Ｓ２２）。
【００４２】
　音楽データが記憶されていなければ、当該フォルダの番号は「表示無し」として記憶し（Ｓ２３）、このような番号付与の処理を全てのフォルダについて行う（Ｓ２４）。
【００４３】
　そして、このように付与された図６に示すようなフォルダの番号をフォルダの情報として表示部１３に表示する（Ｓ２５）。
【００４４】
　また、ユーザーが、再生するフォルダ番号を指示するためなどにフォルダ番号を入力したときは、制御部２１の番号付与部２１１は、付与されたフォルダの番号であると認識し処理を行う。
【００４５】
　以上のように本実施の形態においては、フォルダに音楽データが記録されているかを判定し、音楽データが記録されているフォルダのみに対し、ＣＤ３０に記録されているフォルダ順に従ってフォルダに番号を付与し、この番号をユーザーとのインターフェースでのフォルダ番号として処理をするので、音楽データが記録されていないフォルダをユーザーに意識させなくすることができ、ユーザーの混乱を避けることができる。
【００４６】
　また、例えば、カーオーディオなどの表示部１３の表示領域が小さく、設定されているファイル名やフォルダ名を表示できず、ファイル名に替えてフォルダ番号で表示する場合に有効である。
【００４７】
　本実施の形態の第１の他の態様としては、図７に示すように、フォルダの階層の高いものから順に（ルートディレクトリから順に）番号を付与し、付与された番号をフォルダの情報としてユーザーとのインターフェースに使用する。このように構成することによって、フォルダの階層順に番号が付与され、ユーザーに分かりやすい番号付けをすることができる。
【００４８】
　本実施の形態の第２の他の態様としては、図８に示すように、音楽データの記録されているフォルダのみフォルダ属性情報のフォルダ名によりソートし、ソート順に従って番号を付与し、付与された番号をフォルダの情報としてユーザーとのインターフェースに使用する。このように構成することによって、ユーザの設定したフォルダ名のソート順に番号が付与され、ユーザーに分かりやすい番号付けをすることができる。
【００４９】
　本実施の形態の第３の他の態様としては、図９に示すように、フォルダ属性情報のフォルダ名が数字である場合、音楽データの記録されているフォルダのみフォルダ属性情報のフォルダ名の数字の値を番号として付与し、付与された番号をフォルダの情報としてユーザーとのインターフェースに使用する。このように構成することによって、ユーザーがフォルダ名として設定した数字の順に番号が付与され、ユーザーに分かりやすい番号付けをすることができる。
【００５０】
　なお、本実施の形態においては、フォルダごとに音楽データの有無により付与した番号を記憶し、記憶した番号をユーザーとのインターフェースとして使用したが、音楽データの有無のみを記憶し、番号の付与は番号の表示や番号が入力されたときなどに行うようにしてもよい。
【産業上の利用可能性】
【００５１】
　以上のように、本発明にかかるオーディオ装置は、記録媒体のルートディレクトリ配下にフォルダが作成されているときでも、ユーザーの混乱を避けることができるという効果を有し、圧縮された音声データを再生する機能を持つオーディオ装置等として有用である。
【図面の簡単な説明】
【００５２】
【図１】本発明の第１の実施の形態のオーディオ装置を示す概略ブロック図
【図２】本発明の第１の実施の形態のオーディオ装置の処理手順を示す図
【図３】本発明の第２の実施の形態のオーディオ装置を示す概略ブロック図
【図４】（ａ）本発明の第２の実施の形態のオーディオ装置に使われるＣＤのフォルダ構成図　（ｂ）本発明の第２の実施の形態のオーディオ装置に使われるＣＤに記録されているフォルダ属性情報を示す図
【図５】本発明の第２の実施の形態のオーディオ装置の処理手順を示す図
【図６】本発明の第２の実施の形態のオーディオ装置により付与される番号を示す図
【図７】本発明の第２の実施の形態の第１の他の態様のオーディオ装置により付与される番号を示す図
【図８】本発明の第２の実施の形態の第２の他の態様のオーディオ装置により付与される番号を示す図
【図９】本発明の第２の実施の形態の第３の他の態様のオーディオ装置により付与される番号を示す図
【符号の説明】
【００５３】
　１１　制御部
　１１１　再生部（再生手段）
　１１２　番号付与部（番号付与手段、判定手段）
　１２　読取部
　１３　表示部
　２１　制御部
　２１１　番号付与部（番号付与手段）
　３０　ＣＤ
【図１】
2004046877.tif 000003
【図２】
2004046877.tif 000004
【図３】
2004046877.tif 000005
【図４】
2004046877.tif 000006
【図５】
2004046877.tif 000007
【図６】
2004046877.tif 000008
【図７】
2004046877.tif 000009
【図８】
2004046877.tif 000010
【図９】
2004046877.tif 000011